(57)【特許請求の範囲】
【請求項１】
開口部を有する円筒形の筐体と、
前記筐体によってパン回転可能に支持されるレンズ部と、
前記開口部に取り付けられ、前記レンズ部を覆うドームカバーと、
空気流を生じさせるファンと、
前記ファンが生じさせる空気流の向きを変更するガイドを有し、
前記ファンは、当該ファンによる空気流が前記筐体の内壁に沿って流れ且つ前記レンズ部のパン回転軸を中心として環状に循環するように、前記筐体内に固定され、
前記ガイドは、前記レンズ部と一体でパン回転し、前記環状に循環する空気流の向きを前記ドームカバー側に変更することを特徴とするドーム型カメラ。
【請求項２】
前記レンズ部を覆い、前記レンズ部と一体でパン回転し、前記レンズ部の撮影視野を確保するための切り欠き部を有する内カバーを更に有し、
前記ガイドは、前記空気流が前記レンズ部前面と前記ドームカバー内面の前記切り欠き部近傍とを通過するように、該空気流の向きを変更することを特徴とする請求項１に記載のドーム型カメラ。
【請求項３】
前記ガイドは、前記レンズ部の光軸がチルト回転する方向の延長線上に設けられていることを特徴とする請求項２に記載のドーム型カメラ。
【請求項４】
前記内カバーの下面には開口部が設けられており、該開口部は、前記切り欠き部から前記内カバーの内側を通過する空気流が前記循環する空気流に合流するように設けられていることを特徴とする請求項２乃至３のいずれか一項に記載のドーム型カメラ。
【請求項５】
前記ファンによる空気流が、前記ガイドによって向きを変更される前に、前記内カバーの内側に入り込むことを防止するためのリブを更に有することを特徴とする請求項２乃至４のいずれか一項に記載のドーム型カメラ。
【請求項６】
前記リブは、前記切り欠き部から前記内カバーの内側を通過する空気が前記循環する空気流に合流するように、前記通過する空気の流れの向きを変更することを特徴とする請求項５に記載のドーム型カメラ。
【請求項７】
前記リブは、前記ファンの近傍であって前記空気流の下流側に配置されていることを特徴とする請求項５又は６に記載のドーム型カメラ。
【請求項８】
前記ガイドは、前記内カバーと一体成型されていることを特徴とする請求項２乃至７のいずれか一項に記載のドーム型カメラ。
【請求項９】
前記ファンは、前記筐体内に固定されていることを特徴とする請求項１乃至８のいずれか一項に記載のドーム型カメラ。
【請求項１０】
前記筐体内を環状に循環する空気流を熱するヒーターを更に設けたことを特徴とする請求項１乃至９のいずれか一項に記載のドーム型カメラ。
【発明の詳細な説明】
【技術分野】
【０００１】
本発明は、結露を防止することができるドーム型カメラに関する。
【背景技術】
【０００２】
従来からドーム型監視カメラは様々な環境下に設置されている。例えば、寒冷地等の屋外に設置される場合、外気温の急激な低下によってドームカバーの内面に結露が生じてしまうことがある。ドームカバーの内面に結露が生じると、ドーム型監視カメラ内のカメラユニットによって撮影される映像の画質が著しく低下してしまうことがある。
【０００３】
このような画質の低下を防止するために、近年、結露防止機構を備えたドーム型監視カメラが知られている。特に撮影方向を変更可能なドーム型監視カメラの中には、この撮影方向の変化に対応することができる結露防止機構を備えたものがある。
【０００４】
特許文献１には、カメラケース内に設けられた送風用のファンと、このファンによる風を吐出するノズルであって、レンズと共に方向を変えるようにレンズの脇に保持されるノズルと、を備えたドーム型監視カメラが開示されている。
【０００５】
特許文献２には、ビデオカメラの光軸をパン方向に回転させるためのパンシャーシと、このパンシャーシに一体的に取り付けられ、ビデオカメラのレンズ前面とドームカバーの内面とに空気を吹き付けるファンと、を備えたドーム型カメラが開示されている。
【先行技術文献】
【特許文献】
【０００６】
【特許文献１】特開２００５−２１５４６３号公報
【特許文献２】特開２００９−１３５７２３号公報
【発明の概要】
【発明が解決しようとする課題】
【０００７】
しかしながら、特許文献１に開示のドーム型監視カメラは、ノズルをレンズと一体に方向転換させるためにスリップカラーをレンズに保持させる必要があるので、ノズル保持機構が複雑になってしまっていた。
【０００８】
また、特許文献２に開示のドーム型カメラは、パン回転自在なパンシャーシ上にファンが配置されているので、ファンの配線構造が複雑になってしまっていた。
【０００９】
そこで、本発明は上記問題に鑑みてなされたもので、簡易な構造により、レンズ部の撮影方向の変化に対応してドームカバー内面の結露を防止することができるドーム型カメラを提供することを目的とする。
【課題を解決するための手段】
【００１０】
上記目的を達成するために、本発明のドーム型カメラは、開口部を有する略円筒形の筐体と、前記筐体によってパン回転可能に支持されるレンズ部と、前記開口部に取り付けられ、前記レンズ部を覆うドームカバーと、空気流を生じさせるファンと、前記ファンが生じさせる空気流の向きを変更するガイドを有し、前記ファンは、当該ファンによる空気流が前記筐体の内壁に沿って流れ且つ前記レンズ部のパン回転軸を中心として環状に循環するように、前記筐体内に固定され、前記ガイドは、前記レンズ部と一体でパン回転し、前記環状に循環する空気の流れの向きを前記ドームカバー側に変更することを特徴とする。
【発明の効果】
【００１１】
本発明によれば、簡易な構造により、レンズ部の撮影方向の変化に対応してドームカバー内面の結露を防止することができる。
【図面の簡単な説明】
【００１２】
【図１】本発明の実施例におけるドーム型カメラ１の斜視図である。
【図２】本発明の実施例における、ドームカバー１１と上ケース１２と内カバー１４とを取り外した状態のドーム型カメラ１の斜視図である。
【図３】本発明の実施例におけるドーム型カメラ１の正面図である。
【図４】本発明の実施例におけるドーム型カメラ１の断面図である。
【図５】本発明の実施例におけるドーム型カメラ１内部の空気流を示した斜視図である。
【図６】本発明の実施例におけるドーム型カメラ１内部の空気流を示した平面図である。
【図７】本発明の実施例におけるドーム型カメラ１内部の空気流を示した断面図である。
【図８】本発明の第１の変形例におけるドーム型カメラ１００の斜視図である。
【図９】本発明の第１の変形例におけるドーム型カメラ１００の正面図である。
【図１０】本発明の第１の変形例におけるドーム型カメラ１００の断面図である。
【図１１】本発明の第１の変形例におけるドーム型カメラ１００内部の空気流を示した斜視図である。
【図１２】本発明の第１の変形例におけるドーム型カメラ１００内部の空気流を示した平面図である。
【図１３】本発明の第２の変形例におけるドーム型カメラ１０００内部の空気流を示した平面図である。
【図１４】本発明の第２の変形例におけるドーム型カメラ１０００内部の空気流を示した断面図である。
【図１５】本発明の第３の変形例におけるドーム型カメラ１００００の斜視図である。
【図１６】本発明の第３の変形例におけるドーム型カメラ１００００の正面図である。
【発明を実施するための形態】
【００１３】
（実施例）
以下に、本発明の実施例について図１〜７に基づいて詳細に説明する。
【００１４】
まず、図１について説明する。図１は、本発明の実施例におけるドーム型カメラ１の切り欠き斜視図であり、内部構造を示すためにドームカバー１１および上ケース１２の一部を切り欠いて示している。
【００１５】
図１におけるドーム型カメラ１は、ドームカバー１１と上ケース１２と下ケース１３とから構成される。まず、ドームカバー１１は、ドーム形状の透明なプラスチックで形成されており、カメラユニット２１を含む内部構造を覆うものである。このドームカバー１１は、不図示のネジなどにより、上ケース１２に対して取り付けられる。
【００１６】
次に、上ケース１２は下ケース１３に対して取り付けられる。この下ケース１３は後述するベース２４を支持するものである。なお、下ケース１３の下面には天井等の設置場所に対する取り付け構造が備えられている。
【００１７】
そして、カメラユニット２１は、後述するレンズ部２１ａ及び鏡筒２１ｂ及び不図示の撮影素子等を含んで構成される。このカメラユニット２１はドームカバー１１の内側に配置され、撮影対象を撮影して映像信号を生成するものである。
【００１８】
ここで、内カバー１４は、不透明なプラスチックで形成されており、カメラユニット２１を覆うものである。この内カバー１４は、カメラユニット２１の撮影視野を確保するために、カメラユニット２１のチルト方向の回転に合わせて切り欠かれた切り欠き部１６を有する。すなわち、切り欠き部１６は、カメラユニット２１がチルト方向に回転しても干渉しないように切り欠かれている。したがって、本発明の実施例における内カバー１４は、人がドーム型カメラ１を見た場合にカメラユニット２１の撮影方向をわかりにくくすることでき、ドーム型カメラ１の威圧感を低減させることができる。
【００１９】
また、エアガイド１５は、ドーム型カメラ１内部の空気流の向きを変更するためのものである。そして、ベース２４は、下ケース１３によって支持されており、リブ２５が設けられている。ここで、リブ２５は、後述するファン２６によって形成される空気流が内カバー１４の内側に直接入り込んでしまうことによって空気流が乱れることを防ぎ、ドーム型カメラ１内部での空気の流れを整えるための整流板である。
【００２０】
更に、ファン２６及びヒーター２７がベース２４に固定されている。ここで、ファン２６は、ドーム型カメラ１内部の空気がカメラユニット２１のパン回転軸を中心として環状に循環するように、空気流を生じさせるものである。また、ヒーター２７は、ファン２６によって形成される空気流の中、より詳細に説明すると、ファン２６によって形成される環状に循環する空気流の中に配置されるものである。これにより、ヒーター２７は効率的にドーム型カメラ１内部の空気を暖めることができる。
【００２１】
続いて、図２について説明する。図２は本発明の実施例におけるドーム型カメラ１の斜視図であり、ドームカバー１１と上ケース１２と内カバー１４とを取り外した状態のドーム型カメラ１を示すものである。
【００２２】
まず、レンズ部２１ａ及び鏡筒２１ｂ及び不図示の撮像素子を含むカメラユニット２１は、チルト回転台２２によって支持される。また、チルト回転台２２はカメラユニット２１を支持し、パン回転台２３によってチルト回転可能に挟持されるものである。具体的には、パン回転台２３は、円形の基台部とこの基台部より夫々垂直に立設された２つの垂直支持部から構成されており、これら２つの垂直支持部によってチルト回転台２２を挟持することによってチルト回転台２２をチルト回転可能に保持するものである。
【００２３】
次に、ベース２４はパン回転台２３をパン回転可能に支持している。そして、ベース２４にはリブ２５が設けられている。このリブ２５は、パン回転台２３を構成する基台部の外周の一部に沿うようにベース２４に設けられており、射出成型によってベース２４と一体成型されるものである。そして、ファン２６およびヒーター２７は、リブ２５の近傍に配置されている。より詳細には、リブ２５は、ファン２６の近傍であって、ファン２６により形成される空気流の下流側に設けられている。
【００２４】
続いて、図３について説明する。図３は、本発明の実施例におけるドーム型カメラ１の切り欠き正面図であり、内部構造を示すためにドームカバー１１および上ケース１２および下ケース１３の一部を切り欠いて示している。
【００２５】
図３におけるドームカバー１１は、カメラユニット２１の可動領域の外周を覆うものである。このドームカバー１１の下端部の外周には、フランジ１１ａが外側に向けて突出して設けられている。また、ドームカバー１１は、上ケース１２に設けられた円形の中心穴１２ｄに対して挿入され、不図示のネジ等によって上ケース１２に取り付けられる。このとき、ドームカバー１１のフランジ１１ａの上面は、上ケース１２のフランジ１２ｃの下面に当接する。
【００２６】
そして、上ケース１２は、円筒形の円筒部１２ａと斜面部１２ｂとフランジ１２ｃとから構成されている。ここで、斜面部１２ｂの内周にはフランジ１２ｃが内側に向けて突出して設けられている。すなわち、上ケース１２には、フランジ１２ｃによって円形の中心穴１２ｄが形成されていることになる。従って、この中心穴１２ｄは開口部に相当し、上ケース１２は略円筒形の筐体に相当する。
【００２７】
また、内カバー１４は、面１４ａと面１４ｂと傾斜面１４ｃとから構成されている。ここで、面１４ａと面１４ｂとの間には段差があり、具体的には、面１４ｂが面１４ａよりも一段低くなっている。そして、傾斜面１４ｃは、エアガイド１５と対向する位置に設けられており、面１４ａと面１４ｂとをなだらかにつなぐものである。
【００２８】
次に、エアガイド１５は、カメラユニット２１に含まれるレンズ部２１ａの光軸がチルト回転する方向の延長線上であって内カバー１４の切り欠き部１６の下部に設けられている。また、エアガイド１５は、ファン２６による空気流が内カバー１４の切り欠き部１６に向かって流れるようにＲがつけられている。つまり、エアガイド１５は、その断面が、ファン２６によって形成された空気流の下流に向かって高くなるように傾斜する円弧形状をしている。
【００２９】
最後に、プリント回路基板で実装されているメイン実装基板３１は、下ケース１３に支持されており、カメラユニット２１に含まれる撮像素子からの信号を伝送する不図示の伝送ケーブルと接続される。そして、メイン実装基板３１は、伝送ケーブルによって伝送された撮像素子からの信号を処理するための映像信号処理回路が搭載されており、処理された映像信号をドーム型カメラ１の外部に出力する。
【００３０】
続いて、図４について説明する。図４は、本発明の実施例におけるドーム型カメラ１の断面図である。
【００３１】
図４に示すように、内カバー１４は、カメラユニット２１を覆っており、パン回転台２３に対して取り付けられている。この内カバー１４の切り欠き部１６の内周には、リブ１６ａが垂直方向下側に向けて突出して設けられている。このリブ１６ａにより、エアガイド１５によって向きを変えられた空気流が内カバー１４内面の切り欠き部１６全体の近傍を通過するようにガイドされる。
【００３２】
続いて、図５〜図７を用い、ドーム型カメラ１の内部における空気の流れを説明する。ここで、図５は本発明の実施例におけるドーム型カメラ１の斜視図であり、図６は本発明の実施例におけるドーム型カメラ１の平面図である。また、図７は、本発明の実施例におけるドーム型カメラ１の断面図である。なお、図５及び図６の両方とも、ドーム型カメラ１内部の空気の流れを説明するためにドームカバー１１と上ケース１２とが図示されていない。
【００３３】
まず、図５および図６に示すように、ファン２６によって形成される空気流は、矢印４１ａ、４１ｂ、４１ｃに示すように、ドーム型カメラ１の内部を循環する。つまり、ファン２６によって形成される空気流は、上ケース１２の円筒部１２ａの内周面に沿って、レンズ部２１ａのパン回転軸を中心として環状に循環するものである。なお、リブ２５は、ファン２６によって発生させられた空気の流れが、内カバー１４の内側に直接入ってくることを防ぐ。
【００３４】
エアガイド１５は、ドーム型カメラ１内部を循環している空気流の一部が、矢印４２ａ、４２ｂで示す方向に流れるように、空気流の流れの向きを変えるものである。エアガイド１５によって流れの向きを矢印４２ａ、４２ｂで示す方向に変えられた空気流は、カメラユニット２１のレンズ部２１ａの前面（すなわち、レンズ部前面）を含む、切り欠き部１６の切り欠き全体に向かって流れる。
【００３５】
続いて、図７において、エアガイド１５は、ドーム型カメラ１内部を循環している空気流の一部が矢印４３ａ、矢印４３ｂで示す方向に流れるように、空気流の流れの向きを変える。そして、エアガイド１５によって流れの方向を変えられた空気の流れは、レンズ部２１ａの前面と切り欠き部１６付近のドームカバー１１内面（ドームカバー内面）とを通過する。
【００３６】
すなわち、エアガイド１５は、レンズ部２１ａの前面とドームカバー１１内面における切り欠き部１６全体の近傍との間に空気が流れるように、ドーム型カメラ１内部を循環している空気流の流れの向き変更するものである。
【００３７】
このように変更された空気流によって、ドームカバー１１内面における切り欠き部１６全体の近傍とレンズ部２１ａの前面との結露を防止することができる。更には、ドーム型カメラ１内部の空気流はヒーター２７によって温められているため、この空気流によりレンズ部２１ａの前側とドームカバー１１内面の切り欠き部１６付近とが暖められるので、より効果的に結露を防止することができる。
【００３８】
ファン２６によって形成された空気流は、矢印４３ａ、矢印４３ｂ、矢印４３ｃ、矢印４３ｄ、矢印４３ｅに示すように、ドームカバー１１内面とレンズ部２１の前面と内カバー１４の内部とを通過する。そして、これら通過した空気の流れは、図５および図６において矢印４１ｃ、矢印４１ａ、矢印４１ｂで示す空気の流れに合流する。このとき、リブ２５は、内カバー１４の内部を通過する空気が矢印４３ｄで示す向きに流れるように、空気の流れの向きを変更する。
【００３９】
また、矢印４３ａ、矢印４３ｂに示すように流れる空気流の一部が、内カバー１４の内部を通過せずに、ドームカバー１１内面と内カバー１４外面との間を通過することも考えられる。このような、ドームカバー１１内面と内カバー１４外面との間を通過する空気の流れも、矢印４１ａ、矢印４１ｂ、矢印４１ｃに示すように流れる空気流に合流することは言うまでもない。
【００４０】
このような本発明の実施例では、ファン２６は、円筒形の筐体の内壁にレンズ部２１ａのパン回転軸を中心として環状に循環する空気流を生じさせるように、前記筐体内に固定される。そして、エアガイド１５は、循環する空気の流れの向きをドームカバー側に変更する。これによれば、レンズ部２１ａがパン回転可能な場合でも、ドームカバー内部の結露を防止するためのファン２６がレンズ部２１ａと共にパン回転する必要がなく、ファン２６の配線構造が複雑化することがない。また、ドームカバー内部の結露を防止するためのノズルが不要であり、ノズル保持機構が複雑化することもない。
【００４１】
また、本発明の実施例におけるドーム型カメラ１では、ドームカバー１１内面の切り欠き部１６近傍（すなわち、切り欠き部近傍）に結露が発生しやすい。そのために、エアガイド１５は、ドームカバー１１内面の切り欠き部１６近傍を通過するように、ドーム型カメラ１内部を循環している空気流の向きを変更するので、ドームカバー１１内面の切り欠き部１６近傍の結露を防止することができる。
【００４２】
また、本発明の実施例では、切り欠き部１６は、カメラユニット２１のチルト方向に合わせて切り欠かれている。そして、エアガイド１５は、ドームカバー１１内面の切り欠き部１６近傍を通過するように、ドーム型カメラ１内部を循環している空気流の向きを変更する。これによれば、レンズ部２１ａがチルト回転する可能性のある範囲の結露を防止することができる。
【００４３】
また、本発明の実施例では、ファン２６による空気流がエアガイド１５によって向きを変更される前に内カバー１４の内側に入り込むことを防止するためのリブ２５を設けた。これにより、ドーム型カメラ１内部におけるレンズ部２１ａのパン回転軸を中心として環状に循環する空気の流れが乱れることを防止することができる。
【００４４】
また、本発明の実施例では、エアガイド１５は射出成型によって内カバー１４と一体成型されるので、部品点数を増やすことがない。
【００４５】
続いて、本発明の実施例におけるドーム型カメラ１の変形例について述べる。この第１の変形例におけるエアガイド１５０は、上述の実施例におけるエアガイド１５に対し、新たに側面部を設けたものである。なお、この第１の変形例では、上述した実施例に対応するものと同一の要素には同一符号を付し、その説明を省略する。
【００４６】
まず、図８は、本発明の第１の変形例におけるドーム型カメラ１００の斜視図である。図８に示すように、エアガイド１５０は、レンズ部２１ａの光軸がチルト回転する方向の延長線上であって内カバー１４０の切り欠き部１６の下部に設けられており、詳細は後述するが、その形状は本発明の実施例におけるエアガイド１５と異なっている。
【００４７】
続いて、図９は、本発明の第１の変形例におけるドーム型カメラ１００の切り欠き正面図である。図９は、本発明の実施例における図３と同様に、内部構造を示すためにドームカバー１１および上ケース１２および下ケース１３の一部を切り欠いて示している。
【００４８】
図９に示すように、本発明の第１の変形例におけるエアガイド１５０は、傾斜部１５０ａと側面部１５０ｂとから構成されている。ここで、エアガイド１５０の傾斜部１５０ａは、ファン２６によって形成される空気流の下流に向かうに従って高くなるように円弧状に傾斜している。
【００４９】
続いて、図１０は、第１の変形例におけるドーム型カメラ１００の断面図である。図１０に示すように、エアガイド１５０は、傾斜部１５０ａの下端と側面部１５０ｂとにより、その断面がＬ字形状に形成されている。なお、後述する図１２で示すように、側面部１５０ｂは、カメラユニット２１のパン回転軸の中心とほぼ同心の円弧形状に形成されている。
【００５０】
続いて、図１１および図１２を用い、ドーム型カメラ１００の内部における空気の流れを説明する。ここで、図１１は、本発明の第１の変形例におけるドーム型カメラ１００の斜視図であり、図１２は本発明の第１の変形例におけるドーム型カメラ１００の平面図である。なお、図１１及び図１２の両方とも、ドーム型カメラ１００内部の空気の流れを説明するためにドームカバー１１と上ケース１２とが図示されていない。
【００５１】
エアガイド１５０は、図１１及び図１２に示すように、円筒部１２ａの内周面に沿って、カメラユニット２１のパン回転軸を中心として環状に循環している空気流の一部を、矢印４２ａ、４２ｂで示す方向に流れるように、空気流の向きを変えるものである。特に、本発明の第１の変形例ではエアガイド１５０に側面部１５０ｂを設けているので、ドーム型カメラ１００内部を循環している空気をより多く捉え、より多くの空気を切り欠き部１６の全体に向かって流すことができる。
【００５２】
次に、本発明の第１の変形例に引き続き、本発明の実施例におけるドーム型カメラ１の第２の変形例について述べる。この第２の変形例は、上述の第２の変形例におけるエアガイド１５０を２箇所に設けたことを特徴とするものである。なお、この第２の変形例では、上述した本発明の実施例および第１の変形例に対応するものと同一の要素には同一符号を付し、その説明を省略する。
【００５３】
ここで、図１３は、本発明の第２の変形例におけるドーム型カメラ１０００内部の空気流を示した平面図であり、図１４は、本発明の第２の変形例におけるドーム型カメラ１０００内部の空気流を示した断面図である。
【００５４】
図１３に示すように、本発明の第２の変形例におけるカメラユニット２１０は、チルト方向に−７５度から＋７５度の範囲で回転可能である。すなわち、カメラユニット２１０のチルト角度範囲は１５０度となる。
【００５５】
次に、内カバー１４００は、このようなカメラユニット２１０の撮影視野を確保するために、カメラユニット２１０のチルト方向の回転に合わせて切り欠かれた切り欠き部１６０を有する。すなわち、切り欠き部１６０は、カメラユニット２１０が−７５度から＋７５度の範囲でチルト方向に回転しても干渉しないように切り欠かれている。
【００５６】
また、エアガイド１５０１は、カメラユニット２１０に含まれるレンズ部２１ａの光軸がチルト回転する方向の延長線上であって内カバー１４００の切り欠き部１６０の一方の下部に設けられている。また、エアガイド１５０２は、カメラユニット２１０に含まれるレンズ部２１ａの光軸がチルト回転する方向の延長線上であって内カバー１４００の切り欠き部１６０の他方の下部に設けられている。すなわち、本発明の第２の変形例では、エアガイド１５０１とエアガイド１５０２とが、カメラユニット２１０のパン回転軸を中心として対向するように、内カバー１４００に設けられている。
【００５７】
そして、図１３及び図１４に示すように、ファン２６によって形成される空気流は、矢印５３ａ、５３ｂ、５３ｃに示すように、ドーム型カメラ１０００の内部を環状に循環する。具体的には、ファン２６によって形成される空気流は、上ケース１２の円筒部１２ａの内周面に沿って、レンズ部２１ａのパン回転軸を中心として環状に循環する。
【００５８】
ここで、エアガイド１５０１は、このように循環する空気流の一部が図１３及び図１４の矢印５４ａ、矢印５５ａで示す方向に流れるように、ファン２６によって形成される空気流の流れの向きを変更するためのものである。また、エアガイド１５０２も、エアガイド１５０１と同様に、このように循環する空気流の一部が図１３及び図１４の矢印５４ｂ、矢印５６ａで示す方向に流れるように、ファン２６によって形成される空気流の流れの向きを変更するためのものである。すなわち、エアガイド１５０１及びエアガイド１５０２夫々は、このように循環する空気の流れの向きをドームカバー側に変更する。
【００５９】
図１４に示すように、レンズ部２１ａ及び鏡筒２１ｂ及び不図示の撮像素子を含むカメラユニット２１０は、チルト回転台２２０によって支持される。そして、パン回転台２３０は、チルト回転台をチルト方向に−７５度から＋７５度の範囲で回転可能に挟持し、ベース２４によってパン回転可能に支持される。
【００６０】
また、内カバー１４００は、カメラユニット２１０を覆っており、パン回転台２３に対して取り付けられている。この内カバー１４００の切り欠き部１６０の内周には、リブ１６０ａが垂直方向下側に向けて突出して設けられている。このリブ１６０ａにより、エアガイド１５０１およびエアガイド１５０２によって向きを変えられた空気流が内カバー１４００内面の切り欠き部１６０全体の近傍を通過するようにガイドされる。
【００６１】
従って、ファン２６によって形成された空気流は、矢印５５ａ、矢印５５ｂ、矢印５５ｃ、矢印５５ｅ、矢印５６ａ、矢印５６ｂ、矢印５６ｃ、矢印５６ｄに示すように、ドームカバー１１内面とレンズ部２１の前面と内カバー１４００の内部とを通過する。次に、矢印５５ｄ及び矢印５６ｄで示す空気流は、矢印５５ｅで示す空気の流れに合流する。そして、矢印５５ｅで示す空気流は、図１３における矢印５３ａ、矢印５３ｂ、矢印５３ｃで示す空気の流れに合流する。このとき、リブ２５０は、内カバー１４００の内部を通過する空気が矢印５５ｄで示す向きに流れるように、空気の流れの向きを変更する。
【００６２】
以上のように、本発明の第２の変形例では、エアガイドを２箇所に設けているので、ドーム型カメラ１０００内部を循環している空気をより多く捉え、より多くの空気を切り欠き部１６０全体に向かって流すことができる。
【００６３】
次に、本発明の第２の変形例に引き続き、本発明の実施例におけるドーム型カメラ１の第３の変形例について述べる。この第３の変形例は、ファン２６による空気流をメイン実装基板３１に導くことを特徴とするものである。なお、この第３の変形例では、上述した本発明の実施例および第１の変形例および第２の変形例に対応するものと同一の要素には同一符号を付し、その説明を省略する。
【００６４】
ここで、図１５は、本発明の第３の変形例におけるドーム型カメラ１００００の切り欠き斜視図であり、内部構造を示すためにドームカバー１１および上ケース１２および下ケース１３の一部を切り欠いて示している。
【００６５】
図１５におけるベース２４０は、面２４０ａと面２４０ｂと傾斜面２４０ｃと傾斜面２４０ｄと開口部２４０ｅとから構成されている。ここで、面２４０ａと面２４０ｂとの間には段差があり、具体的には、面２４０ｂが面２４０ａよりも一段低くなっている。また、傾斜面２４０ｃ及び傾斜面２４０ｄ夫々は、面２４０ａと面２４０ｂとをなだらかにつなぐものである。
【００６６】
次に、面２４０ｂにはファン２６とヒーター２７とが設けられており、このファン２６により形成される空気流は、ベース２４０に設けられた開口部２４０ｅにより、矢印６１ａ及び矢印６１ｂで示す２つの空気流に分岐させられる。ここで、開口部２４０ｅは、面２４０ａと面２４０ｂと傾斜面２４０ｃとに渡って設けられており、矢印６１ｂで示す空気流が通過する。
【００６７】
なお、図１５におけるリブ２５００は、ファン２６によって発生させられた空気の流れが、内カバー１４の内側に直接入ってくることを防ぐためのものである。
【００６８】
続いて、図１６は、本発明の第３の変形例におけるドーム型カメラ１００００の切り欠き正面図であり、内部構造を示すためにドームカバー１１及び上ケース１２及び下ケース１３の一部を切り欠いて示している。
【００６９】
図１６における矢印６１ｂに示すように、ファン２６により形成される空気流の一部は、開口部２４０ｅを通過し、メイン実装基板３１へ向かう。なお、矢印６１ａで示す空気流の一部は、本発明の実施例と同様、上ケース１２の円筒部１２ａの内周面に沿って、レンズ部２１ａのパン回転軸を中心として環状に循環する。また、矢印６１ａで示す空気流の別の一部は、本発明の実施例と同様、レンズ部２１ａの前面と切り欠き部１６付近のドームカバー１１内面とを通過するように、エアガイド１５によって流れの向きが変えられる。
【００７０】
以上のように、本発明の第３の変形例は、ファン２６により形成された空気流をメイン実装基板３１へも導くので、ドームカバー内面の結露防止のみならず、メイン実装基板３１上に搭載された映像信号処理回路等の温度調節も可能となる。なお、本発明の第３の変形例は、上述の第１の変形例および第２の変形例にも同様に適用可能である。
【００７１】
以上、本発明の好ましい実施形態について説明したが、本発明はこれらの実施形態に限定されず、その要旨の範囲内で種々の変形及び変更が可能である。
【符号の説明】
【００７２】
１  ドーム型カメラ
１１  ドームカバー
１２  上ケース
１２ｄ  中心穴
１３  下ケース
１５  エアガイド
２１ａ  レンズ部
２３  パン回転台
２４  ベース
２６  ファン
【図１】
0005649363.tif 000002
【図２】
0005649363.tif 000003
【図３】
0005649363.tif 000004
【図４】
0005649363.tif 000005
【図５】
0005649363.tif 000006
【図６】
0005649363.tif 000007
【図７】
0005649363.tif 000008
【図８】
0005649363.tif 000009
【図９】
0005649363.tif 000010
【図１０】
0005649363.tif 000011
【図１１】
0005649363.tif 000012
【図１２】
0005649363.tif 000013
【図１３】
0005649363.tif 000014
【図１４】
0005649363.tif 000015
【図１５】
0005649363.tif 000016
【図１６】
0005649363.tif 000017